(57)【要約】【課題】  手動運転指令を発生するための操作釦を放したり、強く押したりした時に、かごの手動走行を速やかに停止するエレベーターのかご上運転装置を得ること。【解決手段】  第１操作釦９ａが押されると、かごを上昇方向に手動で運転指令の発生を促す上昇用スイッチ９と、第２操作釦１１aが押されると、かごを下降方向に手動で運転指令の発生を促す下降用スイッチ１１と、第３操作釦１３aが押され続けた状態で、ストロークの中間部以外にオフ動作領域を有し、該中間部にオン動作領域を有すると共に、第３操作釦１３aの押圧が解除されると、オフされる運転スイッチ１３と、上昇用スイッチ９、下降用スイッチ１１、運転スイッチ１３を取付けた箱体３と、第１操作釦９ａ又は第２操作釦１１ａを押すと共に、運転スイッチ１３の第３操作釦１３ａをストロークの中間部まで押すことにより、かごを手動運転する制御部２０と、を備える。【選択図】             図２
2007076838.tif 000002
【特許請求の範囲】
【請求項１】
第１操作釦を有し、該第１操作釦が押されると、エレベーターのかごを上昇方向に手動で運転指令の発生を促す上昇用スイッチと、
第２操作釦を有し、該第２操作釦が押されると、前記かごを下降方向に手動で運転指令の発生を促す下降用スイッチと、
第３操作釦が押されることにより移動するストロークを有し、前記第３操作釦が押され続けた状態で、該ストロークの中間部以外にオフ動作領域を有し、前記中間部にオン動作領域を有すると共に、前記第３操作釦の押圧が解除されると、オフされる運転スイッチと、
前記上昇用スイッチ、前記下降用スイッチ、前記運転スイッチを取付けた箱体と、
前記上昇用スイッチの第１操作釦又は前記下降用スイッチの第２操作釦を押すと共に、前記運転スイッチの前記第３操作釦を前記ストロークの前記中間部まで押すことにより、前記かごを手動運転する制御部と、
を備えたことを特徴とするエレベーターのかご上運転装置。
【請求項２】
前記箱体には、前面に前記上昇用スイッチ、前記下降用スイッチが設けられ、側面に前記上昇用スイッチ、前記下降用スイッチの周回状に前記運転スイッチが設けられている、
ことを特徴とする請求項１に記載のエレベーターのかご上運転装置。
【請求項３】
前記運転スイッチは、前記オン動作領域において、前記オフ動作領域よりも、前記第３操作釦を押す力を有する、
ことを特徴とする請求項１又は２に記載のエレベーターのかご上運転装置。
【発明の詳細な説明】
【技術分野】
【０００１】
本発明は、エレベーターのかご上運転装置に関するものである。
【背景技術】
【０００２】
従来のエレベーターのかご上運転装置は、かご上に固定された機器箱に、保守点検員用の非常停止スイッチと、運転モードを乗客が利用する自動運転から保守作業員が利用する手動運転に切換えるための切換スイッチとが装着される。さらに点検を運転しながら容易に行えるよう、上昇用スイッチ、下降用スイッチ、及び上記非常停止スイッチと直列に接続された非常停止スイッチがポータブルスイッチボックスに搭載されている(特許文献１参照)。
【０００３】
上記エレベーターのかご上運転装置によれば、保守作業員がかご上でエレベーターを手動運転する場合、非常停止スイッチをＯＮ（運転可能）にし、切換スイッチを手動にした後、上昇用スイッチまたは下降用スイッチの操作釦を押し続けることでエレベーターは手動運転動作を行う。上昇用スイッチ、下降用スイッチの操作釦を放した時点でエレベーターは停止する。
【０００４】
【特許文献１】特開平５−３３０７５３号公報
【発明の開示】
【発明が解決しようとする課題】
【０００５】
従来のエレベーターのかご上運転装置では、保守作業時、緊急にエレベーターを停止させなければならない非常事態になった場合では、意識的に上昇用スイッチまたは下降用スイッチの操作釦を放したり、非常停止スイッチをオフにしたりしていた。
一方、人間は非常事態において本能的に手を放すか強く握る行動をとることが知られている(ＡＮＳＩ／ＲＩＡ Ｒ１５．０６ ； ４．７．３項)。手を放す場合は、上昇用スイッチまたは下降用スイッチの操作釦を放すため特に問題ない。
しかしながら、非常事態に強く握る場合には、上昇用スイッチまたは下降用スイッチの操作釦を押したままの状態がしばらく継続することが起こり得る。かかる場合、エレベーターがしばらく堕走するという問題点があった。
【０００６】
本発明は上記課題を解消するためになされたもので、手動運転指令を発生するための操作釦を放したり、強く押したりした時に、エレベーターの手動走行を速やかに停止するエレベーターのかご上運転装置を提供することを目的とする。
【課題を解決するための手段】
【０００７】
第１の発明に係るエレベーターのかご上運転装置は、第１操作釦を有し、該第１操作釦が押されると、エレベーターのかごを上昇方向に手動で運転指令の発生を促す上昇用スイッチと、第２操作釦を有し、該第２操作釦が押されると、前記かごを下降方向に手動で運転指令の発生を促す下降用スイッチと、第３操作釦が押されることにより移動するストロークを有し、前記第３操作釦が押され続けた状態で、該ストロークの中間部以外にオフ動作領域を有し、前記中間部にオン動作領域を有すると共に、前記第３操作釦の押圧が解除されると、オフされる運転スイッチと、前記上昇用スイッチ、前記下降用スイッチ、前記運転スイッチを取付けた箱体と、前記上昇用スイッチの第１操作釦又は前記下降用スイッチの第２操作釦を押すと共に、前記運転スイッチの前記第３操作釦を前記ストロークの前記中間部まで押すことにより、前記かごを手動運転する制御部と、を備えたことを特徴とするものである。
【０００８】
第２の発明に係るエレベーターのかご上運転装置は、箱体には、前面に上昇用スイッチ、下降用スイッチが設けられ、側面に上昇用スイッチ、下降用スイッチの周回状に前記運転スイッチが設けられている、ことを特徴とするものである。
【０００９】
第３の発明に係るエレベーターのかご上運転装置における運転スイッチは、オン動作領域において、オフ動作領域よりも、第３操作釦を押す力を有する、ことを特徴とするものである。
【発明の効果】
【００１０】
第１の発明によれば、保守員がかご上に乗り、手動で上昇運する場合には、上昇用スイッチの第１操作釦を押すと共に、運転スイッチの第３操作釦をストロークの中間部まで押して、運転スイッチをオンさせてかごを手動で上昇運転する。何らかの原因で非常事態になり、かごを停止しなければならなくなると、保守作業員は、箱体から手を放したり、箱体を強く握り締めたりする。つまり、運転スイッチの第３操作釦を放したり、強く押したりする。そして、運転スイッチの第３操作釦を放すと、運転スイッチが開放してかごの運手を停止する。
一方、運転スイッチの第３操作釦を強く押すと、第３操作釦がストロークの終端付近まで押し込まれるので、運転スイッチがオフ動作領域となり開放して、かごを上昇方向の手動運転を停止する。したがって、手動運転指令を発生するための操作釦を放したり、強く押したりした時に、エレベーターの手動走行を速やかに停止できるというという効果がある。
【００１１】
第２の発明によれば、箱体には、前面に上昇用スイッチ、下降用スイッチが設けられ、側面に上昇用スイッチ、下降用スイッチの周回状に運転スイッチが設けられたので、保守員が箱体を手で握り、指で第１操作釦又は第２操作釦を押しながら、第３操作釦も押すことができるので、保守員の操作が容易であるという効果がある。
【００１２】
第３の発明によれば、運転スイッチはオン動作領域において、オフ動作領域よりも、第３操作釦を押す力を有しているので、運転スイッチをオンしていることが触覚でわかり易いという効果がある。
【発明を実施するための最良の形態】
【００１３】
実施の形態1．
本発明の一実施の形態を図１乃至図３を参照して説明する。図１は本発明の一実施の形態を示すエレベーターのかご上運転装置によるポータブルスイッチボックス(以下、スイッチボックスという)の正面図、図２は図1のスイッチボックスを保守員が握った状態を示す正面図、図３は運転スイッチのストローク対接点開閉，押し込み力を示す特性図、図４はエレベーターのかご上運転装置のリレーシーケンス図である。
エレベーターのかご上運転装置１は、図１に示す箱体としてのスイッチボックス３と、図４に示すスイッチボックス３に設けられた各種スイッチにより制御される制御部２０とから成る。
【００１４】
図１において、箱体形状から成るスイッチボックス３の前面には、かごの運転を停止させる停止スイッチ５と、自動運転と手動運転とを切換える切換えスイッチ７と、第１操作釦９ａを有し、かごを上昇方向に手動運転を促す上昇用スイッチ９と、第２操作釦１１ａを有し、かごを下降方向に手動運転を促す下降用スイッチ１１とが固定されている。
スイッチボックス３の側面には、運転スイッチ１３が上昇用スイッチ９と下降用スイッチ１１との間の隙間に対して水平方向の周回状の位置に固定されている。これは、スイッチボックス３を手で持った上で、親指で上昇用スイッチ９又は下降用スイッチ１１を押しながら、中指、薬指等で運転スイッチ１３を押すことができるようにするためである。
【００１５】
運転スイッチ１３は、第３操作釦１３ａを有し、図３に示すように、縦軸は第３操作釦１３ａの操作荷重、横軸は第３操作釦１３ａの押し込みストロークで、該第３操作釦１３ａが押されることによりゼロから距離ＳＬまで移動するストロークを有し、該ストロークの中間部、すなわち、ストロークＳ１〜Ｓ２まで第３操作釦１３ａが押し込まれると、オンざせるオン動作領域を有している。該オン動作領域が手動運転許可領域である。
オン動作領域以外の領域が内蔵スイッチ１３ａをオフさせるオフ動作領域となっている。そして、該オン動作領域では、第３操作釦１３ａを押し込む力がオフ動作領域に比べて大きくなっており、第３操作釦１３ａから手を離して第３操作釦１３ａが復帰した状態において、すべてのストローク領域でオフしている。
なお、運転スイッチ１３は、日本工業規格ＪＩＳＢ９９６０−１：１９９９ 機械類の安全性−機械の電気装置−第１部：一般要求事項の９．２．５．８項イネーブル機器に相当するものである。
【００１６】
図４によって制御部２０を説明する。図４において、かご上運転装置の非常停止スイッチ５と、かごの天井にある脱出口が開いたら開放する脱出口常閉接点２１と、非常止が働いたら開放する非常止常閉接点２３とが安全リレーコイル１０に直列接続されている。これは、いずれかの非常停止スイッチ５、脱出口常閉接点２１、非常止常閉接点２３が開放されても安全リレー１０が励磁されずエレベーターを運転不能にするためである。
切換スイッチ７が自動端子ａと、手動端子ｃとを選択するように接続されており、自動端子ａに接続された場合、自動運転リレー３２が励磁される。切換スイッチ７が手動端子ｃに接続された場合、運転スイッチ１３及び上昇用スイッチ９が閉成すると上昇用運転リレー４１が励磁される。
【００１７】
安全リレー３０の常開接点３０ａと自動運転リレー３２の常開接点３２ａの両方が閉成することで、エレベーターは自動運転を成す自動運転指令が得られる。
安全リレー３０の常開接点３０ａと上昇用運転リレー４１の常開接点４１ａの両方が閉成することで、エレベーターを手動運転で上昇する指令が得られる。
同様に、運転スイッチ１３と下降用スイッチ１１が閉成すると下降運転リレー４２が励磁され、安全リレー３０の常開接点３０ａと下降用運転リレー４２の常開接点４２ａの両方が閉成することで、エレベーターを手動運転で下降する指令が得られる。
【００１８】
上記のように構成されたエレベーターのかご上運転装置の動作を図２乃至図４を参照して説明する。
保守作業員は、かご上に乗り込み、昇降路内の機器の保守作業を行うためエレベーターを手動運転で昇降させるとき、スイッチボックス３を図２に示すように手に握る。この段階で運転スイッチ１３が操作可能な状態になる。切換スイッチ７を手動にすると、図４に示すように、手動端子ｃに電源が接続され、運転スイッチ１３のストロークが中間部になるように第３操作釦１３ａを押すと、運転スイッチ１３が閉成し、上昇用スイッチ９の第１操作釦９ａを押すと、上昇用運転リレー４１が励磁されて常閉接点４１ａを閉成する。これにより、安全リレー３０の常開接点３０ａが閉成しているから、手動上昇指令が発生して、かごを上昇方向に手動運転する。
【００１９】
何らかの原因で非常事態になり、手動運転中のかごを緊急停止させなくてはならなくなると、保守作業員は、スイッチボックス３から手を放したり、スイッチボックス３を強く握り締めたりする。つまり、運転スイッチ１３の第３操作釦１３ａを放したり、強く押したりするのである。
ここで、運転スイッチ１３の第３操作釦１３ａを放すと、運転スイッチ１３が開放して上昇用運転リレー４１が消勢して常開接点４１aが開放し、手動上昇指令が消滅して、かごの手動運転を停止する。
次に、運転スイッチ１３の第３操作釦１３ａを強く押すと、第３操作釦１３ａが図３に示すようにストロークの終端ＳＬか、終端ＳＬ近くまで押し込まれるので、運転スイッチ１３が開放になる。これにより、上昇用運転リレー４１が消勢して常開接点４１aが開放し、手動上昇指令が消滅して、かごの手動運転を停止する。
【００２０】
上記実施の形態によれば、手動運転指令を発生するための運転スイッチ１３の第３操作釦１３ａを放したり、強く押したりした時に、エレベーターの手動走行を速やかに停止できる。
【産業上の利用可能性】
【００２１】
本発明は、エレベーターの手動運転に適用できる。
【図面の簡単な説明】
【００２２】
【図１】本発明の一実施の形態を示すエレベーターのかご上運転装置によるポータブルスイッチの正面図である。
【図２】図1のポータブルスイッチを保守員が握った状態を示す正面図である。
【図３】図１に示す運転スイッチのストローク対接点開閉，押し込み力を示す特性図である。
【図４】図1に示すエレベーターのかご上運転装置のリレーシーケンス図である。
【符号の説明】
【００２３】
１  かご上運転装置、３  スイッチボックス(箱体)、９  上昇用スイッチ、９ａ  第１操作釦、１１  下降用スイッチ、１１ａ  第２操作釦、１３  運転スイッチ、１３ａ  第３操作釦、２０  制御部。
【図１】
2007076838.tif 000003
【図２】
2007076838.tif 000004
【図３】
2007076838.tif 000005
【図４】
2007076838.tif 000006